(57)【要約】【課題】一対の先端電極に高周波電流を通電するために可撓性シース内に挿通配置された一対の導線が操作ワイヤとして用いられる内視鏡用バイポーラ型高周波処置具において、操作ワイヤの押し込み運動が手元側から先端側によく伝達されて先端電極が良好に作動するようにすること。【解決手段】可撓性シース１内に、可撓性シース１内の余裕空間１００を埋めるための電気絶縁性のチューブ状部材からなるダミーチューブ１７を一対の導線６Ａ，６Ｂと並列に挿通配置して、一対の導線６Ａ，６Ｂが基端側から進退操作されるとそれと共にダミーチューブ１７が可撓性シース１内において軸線方向に進退するようにした。【選択図】      図１
2005296304.tif 000002
【特許請求の範囲】
【請求項１】
可撓性シースの先端に互いに電気絶縁された一対の先端電極が可動に配置され、上記一対の先端電極を動作させるために上記可撓性シース内に軸線方向に進退自在に全長にわたって挿通配置された操作ワイヤが、上記各先端電極に高周波電流を通電するための互いに電気絶縁された一対の導線である内視鏡用バイポーラ型高周波処置具において、
上記可撓性シース内に、上記可撓性シース内の余裕空間を埋めるための電気絶縁性のチューブ状部材からなるダミーチューブを上記一対の導線と並列に挿通配置して、上記一対の導線が基端側から進退操作されるとそれと共に上記ダミーチューブが上記可撓性シース内において軸線方向に進退するようにしたことを特徴とする内視鏡用バイポーラ型高周波処置具。
【請求項２】
上記一対の導線に各々電気絶縁性の絶縁チューブが被覆されていて、それと同じ絶縁チューブが上記ダミーチューブとして用いられている請求項１記載の内視鏡用バイポーラ型高周波処置具。
【請求項３】
上記絶縁チューブの外径寸法が上記可撓性シースの内径寸法の０．４１〜０．４５倍の範囲にある請求項２記載の内視鏡用バイポーラ型高周波処置具。
【請求項４】
上記一対の導線が上記可撓性チューブ内の先端近傍位置において結束部材により一体的に結束されていて、上記ダミーチューブが、上記結束部材の後方位置と上記可撓性チューブの基端付近との間にわたって配置されている請求項１、２又は３記載の内視鏡用バイポーラ型高周波処置具。
【発明の詳細な説明】
【技術分野】
【０００１】
この発明は、可撓性シースの先端に互いに電気絶縁された一対の先端電極が配置された内視鏡用バイポーラ型高周波処置具に関する。
【背景技術】
【０００２】
内視鏡用バイポーラ型高周波処置具においては、一般に、可撓性シースの先端に互いに電気絶縁された一対の先端電極が可動に配置され、その一対の先端電極を動作させるために可撓性シース内に軸線方向に進退自在に全長にわたって挿通配置された操作ワイヤが、各先端電極に高周波電流を通電するための互いに電気絶縁された一対の導線によって形成されている。即ち、一対の導線が操作ワイヤを兼用している（例えば、特許文献１、２）。
【特許文献１】特開２００２−２５３５７０
【特許文献２】特開２００３−２９９６６８
【発明の開示】
【発明が解決しようとする課題】
【０００３】
図６は、上述のような従来の内視鏡用バイポーラ型高周波処置具における可撓性シース９０の軸線に対して垂直な方向の断面図であり、一対の導線９１に各々電気絶縁性の絶縁チューブ９２が被覆されているが、可撓性シース９０内はそれ以外の余裕空間１００が多きな比率を占めている。
【０００４】
そのため、導線９１（及びそれに被覆されている絶縁チューブ９２）が操作ワイヤとして手元側から軸線方向に押し込み操作されると、可撓性シース９０内の余裕空間１００において導線９１が蛇行することにより押し込み運動が途中で吸収されて、先端電極の作動が不十分になってしまう場合がある。
【０００５】
そこで本発明は、一対の先端電極に高周波電流を通電するために可撓性シース内に挿通配置された一対の導線が操作ワイヤとして用いられる内視鏡用バイポーラ型高周波処置具において、操作ワイヤの押し込み運動が手元側から先端側によく伝達されて先端電極が良好に作動するようにすることを目的とする。
【課題を解決するための手段】
【０００６】
上記の目的を達成するため、本発明の内視鏡用バイポーラ型高周波処置具は、可撓性シースの先端に互いに電気絶縁された一対の先端電極が可動に配置され、一対の先端電極を動作させるために可撓性シース内に軸線方向に進退自在に全長にわたって挿通配置された操作ワイヤが、各先端電極に高周波電流を通電するための互いに電気絶縁された一対の導線である内視鏡用バイポーラ型高周波処置具において、可撓性シース内に、可撓性シース内の余裕空間を埋めるための電気絶縁性のチューブ状部材からなるダミーチューブを一対の導線と並列に挿通配置して、一対の導線が基端側から進退操作されるとそれと共にダミーチューブが可撓性シース内において軸線方向に進退するようにしたものである。
【０００７】
なお、一対の導線に各々電気絶縁性の絶縁チューブが被覆されていて、それと同じ絶縁チューブがダミーチューブとして用いられていてもよく、その場合には、絶縁チューブの外径寸法が可撓性シースの内径寸法の０．４１〜０．４５倍の範囲にあるとよい。
【０００８】
また、一対の導線が可撓性チューブ内の先端近傍位置において結束部材により一体的に結束されていて、ダミーチューブが、結束部材の後方位置と可撓性チューブの基端付近との間にわたって配置されていてもよい。
【発明の効果】
【０００９】
本発明によれば、可撓性シース内に、可撓性シース内の余裕空間を埋めるための電気絶縁性のチューブ状部材からなるダミーチューブを一対の導線と並列に挿通配置して、一対の導線が基端側から進退操作されるとそれと共にダミーチューブが可撓性シース内において軸線方向に進退するようにしたことにより、操作ワイヤの押し込み運動が可撓性シース内において吸収されずに手元側から先端側によく伝達されて先端電極が良好に作動する。
【発明を実施するための最良の形態】
【００１０】
可撓性シースの先端に互いに電気絶縁された一対の先端電極が可動に配置され、一対の先端電極を動作させるために可撓性シース内に軸線方向に進退自在に全長にわたって挿通配置された操作ワイヤが、各先端電極に高周波電流を通電するための互いに電気絶縁された一対の導線である内視鏡用バイポーラ型高周波処置具において、可撓性シース内に、可撓性シース内の余裕空間を埋めるための電気絶縁性のチューブ状部材からなるダミーチューブを一対の導線と並列に挿通配置して、一対の導線が基端側から進退操作されるとそれと共にダミーチューブが可撓性シース内において軸線方向に進退するようにする。
【実施例】
【００１１】
図面を参照して本発明の実施例を説明する。
図２は内視鏡用バイポーラ型高周波処置具の全体構成を示し、図３はその先端近傍の構成を示している。
【００１２】
１は、図示されていない内視鏡の処置具挿通チャンネルに挿脱自在な例えば四フッ化エチレン樹脂チューブ等によって形成された電気絶縁性の可撓性シースであり、その先端部分には、例えばセラミックスや耐熱プラスチック等からなる電気絶縁性の先端支持本体２が取着されている。
【００１３】
先端支持本体２の先端部分には、導電性の例えばステンレス鋼等からなる一対の嘴状の先端電極３Ａ，３Ｂが、図３に示されるように、互いに電気絶縁された状態で各々支軸４Ａ，４Ｂを中心に回動自在に取り付けられている。
【００１４】
そして、各先端電極３Ａ，３Ｂから一体的に支軸４Ａ，４Ｂの後方に延出するように形成されたアーム５Ａ，５Ｂが、先端支持本体２に形成されているスリット２ａ内に配置されていて、可撓性シース１内に軸線方向に進退自在に挿通配置された一対の導線６Ａ，６Ｂの先端がアーム５Ａ，５Ｂに連結されている。
【００１５】
図２に示されるように、可撓性シース１の手元側基端部に連結された操作部２０においては、操作部本体２１にスライド自在に取り付けられている可動指掛け２２に、図示されていない高周波電源コードを接続するための正負二極方式の接続端子２３が配置され、その接続端子２３に一対の導線６Ａ，６Ｂの基端が連結されている。
【００１６】
そのような構成により、可動指掛け２２を進退操作することによって導線６Ａ，６Ｂが可撓性シース１内で進退動作をし、それによって先端電極３Ａ，３Ｂが嘴状に開閉する。図３には、先端電極３Ａ，３Ｂが開いた状態が二点鎖線で図示されている。
【００１７】
このように一対の導線６Ａ，６Ｂが先端電極３Ａ，３Ｂを開閉駆動するための操作ワイヤを兼用しているが、接続端子２３から一対の導線６Ａ，６Ｂを経由して各先端電極３Ａ，３Ｂに高周波電流を漏洩なく通電することができるよう、一対の導線６Ａ，６Ｂは互いに電気絶縁された状態で先端電極３Ａ，３Ｂに接続されている。
【００１８】
図３に示される７Ａ１と７Ａ２は、一方の導線６Ａに被覆された電気絶縁性の絶縁チューブ、７Ｂ１と７Ｂ２は、他方の導線６Ｂに被覆された電気絶縁性の絶縁チューブであり、一方の導線６Ａと他方の導線６Ｂとが直接接触しないようにしてある。
【００１９】
また、一対の導線６Ａ，６Ｂは先端近傍において絶縁チューブ７Ａ１，７Ｂ１と共に電気絶縁性の部材からなる結束部材８により結束されており、その結束部材８には、一対の導線６Ａ，６Ｂが通過する一対の平行な貫通孔９Ａ，９Ｂが軸線方向に形成されている。
【００２０】
そして、結束部材８の先側に隣接する側では、一対の導線６Ａ，６Ｂの中の一方の導線６Ａのみに絶縁チューブ７Ａ１が被覆されていて、それと並んで配置されている他方の導線６Ｂは可撓性シース１内において剥き出しである。
【００２１】
また、結束部材８の後側に隣接する側では他方の導線６Ｂのみに絶縁チューブ７Ｂ１が被覆されていて、それと並んで配置されている一方の導線６Ａは可撓性シース１内において剥き出しである。
【００２２】
そのように、結束部材８の前側において一方の導線６Ａに被覆されている絶縁チューブ７Ａ１と、結束部材８の後側において他方の導線６Ｂに被覆されている絶縁チューブ７Ｂ１とを、各々貫通孔９Ａ，９Ｂの途中位置まで差し込めるように、各貫通孔９Ａ，９Ｂには太径部１０Ａ，１０Ｂが形成されている。
【００２３】
そして、各太径部１０Ａ，１０Ｂ内においては、絶縁チューブ７Ａ１，７Ｂ１が結束部材８に接着固定され、貫通孔９Ａ，９Ｂのその他の部分内においては、導線６Ａ，６Ｂが結束部材８に直接接着固定されている。
【００２４】
したがって、極めて容易な組み立て作業により、各導線６Ａ，６Ｂと絶縁チューブ７Ａ１，７Ｂ１とを各々結束部材８に対して確実に接着固定することができ、操作ワイヤとしての一対の導線６Ａ，６Ｂを、先端部分において動きがバラバラにならないように均一に進退させることができる。
【００２５】
また、結束部材８より後方において一対の導線６Ａ，６Ｂどうしの電気絶縁状態を確保するために、各導線６Ａ，６Ｂには各々操作部２０に至る長い絶縁チューブ７Ａ２，７Ｂ２が被覆されている。
【００２６】
ただし、可撓性シース１が屈曲したときに操作部２０に至る絶縁チューブ７Ａ２，７Ｂ２と導線６Ａ，６Ｂとの間に滑りが生じることを考慮して、操作部２０に至る絶縁チューブ７Ａ２，７Ｂ２の先端面と結束部材８の後端面（及び結束部材８の後側に固着されている絶縁チューブ７Ｂ１の後端面）との間には、軸線方向に各々数ｍｍ程度の隙間をあけてある。
【００２７】
また、さらに可撓性シース１内には、結束部材８の後方位置と可撓性シース１の基端付近との間の範囲に、図３におけるＩ−Ｉ断面を図示する図１にも示されるように、可撓性シース１内の余裕空間１００を埋めるための電気絶縁性のチューブ状部材からなるダミーチューブ１７が、一対の導線６Ａ，６Ｂと並列に挿通配置されている。
【００２８】
この実施例のダミーチューブ１７としては、各導線６Ａ，６Ｂに被覆されている絶縁チューブ７Ａ２，７Ｂ２と同じ絶縁チューブが用いられていて、適宜の位置で（例えば、ダミーチューブ１７の両端部付近と適宜の中間位置、或いはダミーチューブ１７の全長にわたって）それらが互いに接着固定されている。
【００２９】
そのようなダミーチューブ１７及び絶縁チューブ７Ａ２，７Ｂ２の外径寸法は、可撓性シース１の内径寸法の０．４１〜０．４５倍の範囲に設定されており、図１には、０．４３倍の場合が図示されている。
【００３０】
ちなみに、図４と図５は０．４０倍と０．４６倍の場合を図示しており、０．４０倍以下では余裕空間１００が大き過ぎて導線６Ａ，６Ｂの進退動作に蛇行が発生し、０．４６倍以上では余裕空間１００が小さすぎて導線６Ａ，６Ｂがスムーズに進退しなくなるので、０．４１〜０．４５倍の範囲が好ましい。
【００３１】
このような構成により、一対の導線６Ａ，６Ｂが操作部２０側から進退操作されるとそれと共にダミーチューブ１７が可撓性シース１内において殆ど蛇行せずに軸線方向にスムーズに進退して、操作ワイヤとしての一対の導線６Ａ，６Ｂの押し込み運動が手元側から先端側によく伝達され、先端電極３Ａ，３Ｂが良好に作動する。
【００３２】
なお、本発明は上記実施例に限定されるものではなく、例えばダミーチューブ１７は絶縁チューブ７Ａ２，７Ｂ２とサイズが相違するチューブであってもよく、ダミーチューブ１７が可撓性シース１内に２本以上挿通配置されていてもよい。
【図面の簡単な説明】
【００３３】
【図１】本発明の実施例の内視鏡用バイポーラ型高周波処置具の図３におけるＩ−Ｉ断面図である。
【図２】本発明の実施例の内視鏡用バイポーラ型高周波処置具の全体構成を示す側面図である。
【図３】本発明の実施例の内視鏡用バイポーラ型高周波処置具の先端付近の側面断面図である。
【図４】本発明の内視鏡用バイポーラ型高周波処置具の発明の範囲の圏外例を示す図３におけるＩ−Ｉ断面図に対応する断面図である。
【図５】本発明の内視鏡用バイポーラ型高周波処置具の発明の範囲の圏外例を示す図３におけるＩ−Ｉ断面図に対応する断面図である。
【図６】従来の内視鏡用バイポーラ型高周波処置具の軸線に対して垂直な断面における断面図である。
【符号の説明】
【００３４】
１  可撓性シース
３Ａ，３Ｂ  先端電極
６Ａ，６Ｂ  導線
７Ａ２，７Ｂ２  操作部に至る絶縁チューブ
８  結束部材
１７  ダミーチューブ
１００  余裕空間
【図１】
2005296304.tif 000003
【図２】
2005296304.tif 000004
【図３】
2005296304.tif 000005
【図４】
2005296304.tif 000006
【図５】
2005296304.tif 000007
【図６】
2005296304.tif 000008